(57)【要約】      （修正有）【課題】体積を大幅に減少させ、携帯性を兼ね備える水中型水素発生装置を提供する。【解決手段】少なくとも１つの入／排水孔１１１が設けられ、且つ結合されて本体が形成される上蓋１１及び台座１２と、本体内部に設置され、且つ外側キャビティ及び内側キャビティ１０２に仕切るためのバリアユニット１３と、外側キャビティに設置される少なくとも１つの電解ユニット２１と、内側キャビティ１０２に設置される制御回路基板２２及び給電ユニット２３とを備え、且つ制御回路基板２２は電解ユニット２１及び給電ユニット２３に電気的に接続される。水素発生装置が水中に設置される場合、水分はこれら入／排水孔１１１から進入すると共に外側キャビティに充填され、電解ユニット２１が電解反応を発生させて水素及び酸素を生じさせるのみならず、水素発生装置が容易に沈下するようになる。反対に、水素発生装置が水中から取り出される場合、入／排水孔１１１から水分が排出される。【選択図】図３
0003209817.tif 000002
【実用新案登録請求の範囲】
【請求項１】
少なくとも１つの入／排水孔が設けられる上蓋と、
少なくとも１つの入／排水孔が設けられ、且つ前記上蓋に結合されて本体が形成される台座と、
前記本体内部に設置され、且つ前記本体内部を外側キャビティ及び内側キャビティに仕切るためのバリアユニットと、
前記外側キャビティに設置され、且つ前記バリアユニットの表面に固定される少なくとも１つの電解ユニットと、
前記内側キャビティに設置され、前記電解ユニットに電気的に接続される制御回路基板と、
前記内側キャビティに設置され、前記制御回路基板に電気的に接続され、前記電解ユニットの作動に必要な電力を提供するための給電ユニットと、を備え、
水素発生装置が水中に設置される場合、水分が前記上蓋及び前記台座の入／排水孔から進入すると共に前記外側キャビティに充填され、前記電解ユニットが電解反応を発生させて水素及び酸素を生じさせ、且つ前記水素発生装置が容易に沈下するようになり、反対に、前記水素発生装置が水中から取り出される場合、前記入／排水孔から水分が排出されることを特徴とする、
水中型水素発生装置。
【請求項２】
前記バリアユニットは第一仕切り板及び第二仕切り板を含み、且つ前記第一仕切り板及び前記第二仕切り板が結合されることにより前記本体内部が前記外側キャビティ及び前記内側キャビティに仕切られ、且つ前記第一仕切り板の外縁には前記第二仕切り板の外側に対応するように少なくとも１つの流通孔が設けられ、前記上蓋の入／排水孔または前記台座の入／排水孔から流入する水分が共に前記外側キャビティ中で流通することを特徴とする、請求項１に記載の水中型水素発生装置。
【請求項３】
前記第一仕切り板の底部には溝部が設けられ、前記第二仕切り板の上部周縁が前記溝部内に係合されることを特徴とする、請求項２に記載の水中型水素発生装置。
【請求項４】
前記第一仕切り板及び前記第二仕切り板の結合箇所には、水流が前記内側キャビティに進入するのを防ぐための防水ワッシャーが更に設置されることを特徴とする、請求項２または３に記載の水中型水素発生装置。
【請求項５】
前記制御回路基板は複数の導電素子が前記内側キャビティから前記外側キャビティまで延伸されて前記電解ユニットに電気的に接続され、且つこれら前記導電素子は対になるように設置される正導電素子及び負導電素子であり、前記電解ユニットは複数の電極板を含み、前記正導電素子に接続される電極板は陽電極板であり、前記負導電素子に接続される電極板は陰電極板であることを特徴とする、請求項１に記載の水中型水素発生装置。
【請求項６】
前記上蓋には設定ユニットが更に設置され、且つ前記設定ユニットは前記制御回路基板に電気的に接続され、前記電解ユニットの作動モードを設定するために用いられることを特徴とする、請求項１に記載の水中型水素発生装置。
【請求項７】
前記台座の入／排水孔は閉塞部材に更に結合され、前記外側キャビティ内部の水分が前記台座から流出する事態を防止することを特徴とする、請求項１に記載の水中型水素発生装置。
【請求項８】
前記台座には、前記給電ユニットに電気的に接続される充電接続口が更に設けられることを特徴とする、請求項１に記載の水中型水素発生装置。
【請求項９】
前記上蓋及び前記台座はプラスチック材質またはゴム材質であることを特徴とする、請求項１に記載の水中型水素発生装置。
【考案の詳細な説明】
【技術分野】
【０００１】
本考案は、水素発生装置に関し、更に詳しくは、外側キャビティ及び内側キャビティを有する設計の水中型水素発生装置に関する。
【背景技術】
【０００２】
近年、水素（Ｈｙｄｒｏｇｅｎ）により人の疾病を治療する医学的方法が数多く研究され、且つ幅広い医学分野及び保健分野での運用において有効であることが証明されている。人が少量の水素を吸収すると、水素が有する抗酸化力により、抗炎症効果を発揮する。
【０００３】
このため、水素を発生させるための様々な水素装置が次々と発展している。図５は従来の水素装置３０を示す使用の概略図である。
従来の水素装置３０の態様はホスト３１及び接続線３２を介して前記ホスト３１に電気的に接続される電極箱３３を備える。使用者が前記電極箱３３を浴槽内部に設置すると共に水面下に沈めると、前記電極箱３３内部の電解ユニット（図示せず）が水に対して電解反応を発生させて水素及び酸素を生じさせ、使用者が入浴中に大量の水素及び酸素を摂取することができる。
【考案の概要】
【考案が解決しようとする課題】
【０００４】
しかしながら、前述した従来の水素装置、すなわち、従来の水素装置３０のホスト３１は大きいため、移動させるのが難しく、空間を広く占領するという欠点が存在した。また、電極箱３３は接続線３２により制限されてしまい、使用者の需要に合わせて位置を大きく変更させることができず、使用者にとっては不便であった。
【０００５】
そこで、本考案者は上記の欠点が改善可能と考え、鋭意検討を重ねた結果、合理的かつ効果的に課題を改善する本考案の提案に到った。
【０００６】
本考案は、以上の従来技術の課題を解決する為になされたものである。即ち、本考案は、水中型水素発生装置を提供することを目的とし、前記水中型水素発生装置は外側キャビティ及び内側キャビティを有する設計であり、且つ内側キャビティには防水が必要な部材が設置され、外側キャビティには水に対する電解反応を発生させて水素及び酸素を生じさせるための電解ユニットが設置される。この設計により、水素発生装置の体積を大幅に減少させるのみならず、使用者の好みに合わせて水素発生装置の位置を移動させることができ、同時に携帯性を兼ね備え、空間の使用効率も高まる。
【課題を解決するための手段】
【０００７】
上述した課題を解決し、上記目的を達成するための本考案に係る水中型水素発生装置は、少なくとも１つの入／排水孔が設けられる上蓋と、少なくとも１つの入／排水孔が設けられ、且つ前記上蓋に結合されて本体が形成される台座と、前記本体内部に設置され、且つ前記本体内部を外側キャビティ及び内側キャビティに仕切るためのバリアユニットと、前記外側キャビティに設置され、且つ前記バリアユニットの表面に固定される少なくとも１つの電解ユニットと、前記内側キャビティに設置され、前記電解ユニットに電気的に接続される制御回路基板と、前記内側キャビティに設置され、前記制御回路基板に電気的に接続され、前記電解ユニットの作動に必要な電力を供給するための給電ユニットとを備える。
前記水素発生装置が水中に設置される場合、水分が前記上蓋及び前記台座の入／排水孔から進入すると共に前記外側キャビティに充填され、前記電解ユニットが電解反応を発生させて水素及び酸素を生じさせ、且つ前記水素発生装置が容易に沈下するようになる。反対に、前記水素発生装置が水中から取り出されると、前記入／排水孔から水分が排出される。
【０００８】
上述に記載した水中型水素発生装置において、前記バリアユニットは第一仕切り板及び第二仕切り板を含み、且つ前記第一仕切り板及び前記第二仕切り板が結合されることにより前記本体内部が前記外側キャビティ及び前記内側キャビティに仕切られ、且つ前記第一仕切り板の外縁には前記第二仕切り板の外側に対応するように少なくとも１つの流通孔が設けられ、前記上蓋の入／排水孔または前記台座の入／排水孔から流入する水分が共に前記外側キャビティ中で流通する。
【０００９】
上述に記載した水中型水素発生装置において、前記第一仕切り板の底部には溝部が設けられ、前記第二仕切り板の上部周縁が前記溝部内に係合される。
【００１０】
上述に記載した水中型水素発生装置において、前記第一仕切り板及び前記第二仕切り板の結合箇所には、水流が前記内側キャビティに進入するのを防ぐための防水ワッシャーが更に設置される。
【００１１】
上述に記載した水中型水素発生装置において、前記第二仕切り板は中空状の円柱であり、且つ前記台座に設置される。
【００１２】
上述に記載した水中型水素発生装置において、前記制御回路基板は複数の導電素子が前記内側キャビティから前記外側キャビティまで延伸されて前記電解ユニットに電気的に接続され、且つこれら前記導電素子は対になるように設置される正導電素子及び負導電素子であり、前記電解ユニットは複数の電極板を含み、前記正導電素子に接続される電極板は陽電極板であり、前記負導電素子に接続される電極板は陰電極板である。
【００１３】
上述に記載した水中型水素発生装置において、前記上蓋には設定ユニットが更に設置され、且つ前記設定ユニットは前記制御回路基板に電気的に接続され、前記電解ユニットの作動モードを設定するために用いられる。
【００１４】
上述に記載した水中型水素発生装置において、前記台座の入／排水孔は閉塞部材に更に結合され、前記外側キャビティ内部の水分が前記台座から流出する事態を防止する。
【００１５】
上述に記載した水中型水素発生装置において、前記台座には、前記給電ユニットに電気的に接続される充電接続口が更に設けられる。
【００１６】
上述に記載した水中型水素発生装置において、前記上蓋及び前記台座はプラスチック材質またはゴム材質である。
【考案の効果】
【００１７】
本考案によれば、水素発生装置の体積が大幅に減少するのみならず、使用者の好みに合わせて水素発生装置の位置を移動させることができ、同時に携帯性を兼ね備え、空間の使用効率も高まる。
【図面の簡単な説明】
【００１８】
【図１】本考案の第１実施形態に係る水中型水素発生装置を示す外観斜視図である。
【図２】本考案の第１実施形態に係る水中型水素発生装置を他の角度から見た外観斜視図である。
【図３】本考案の水中型水素発生装置を示す分解図である。
【図４】本考案の水中型水素発生装置を示す断面図である。
【図５】従来の水素装置を示す使用の概略図である。
【考案を実施するための形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００２０】
以下、本考案の水中型水素発生装置を図１〜４に基づいて説明する。
少なくとも１つの入／排水孔１１１が設けられる上蓋１１と、少なくとも１つの入／排水孔１２１が設けられ、且つ前記上蓋１１に結合されて本体１０が形成される台座１２であって、前記上蓋１１及び前記台座１２にはプラスチック材質またはゴム材質等の重量が軽い材質が選択されることと、前記本体１０内部に設置され、且つ前記本体１０内部を外側キャビティ１０１及び内側キャビティ１０２に仕切るためのバリアユニット１３と、前記外側キャビティ１０１に設置され、且つ前記バリアユニット１３の表面に固定される少なくとも１つの電解ユニット２１と、前記内側キャビティ１０２に設置され、前記電解ユニット２１に電気的に接続される制御回路基板２２と、前記内側キャビティ１０２に設置され、前記制御回路基板２２に電気的に接続され、前記電解ユニット２１の作動に必要な電力を供給するための給電ユニット２３とを備える。
前記水素発生装置が水中に設置される場合、水分が前記上蓋１１及び前記台座１２の入／排水孔１１１、１２１から進入すると共に前記外側キャビティ１０１に充填され、前記電解ユニット２１が電解反応を発生させて水素及び酸素を生じさせ、且つ前記水素発生装置が容易に沈下するようになる。反対に、前記水素発生装置が水中から取り出されると、前記入／排水孔１１１、１２１から水分が排出される。
【００２１】
前記バリアユニット１３はマスク体、箱体、または図３に示すように、第一仕切り板１３１及び第二仕切り板１３２を備えていればよく、且つその形態に制限はなく、前記本体１０内部を前記外側キャビティ１０１及び前記内側キャビティ１０２に仕切れればよい。
前記バリアユニット１３が前記第一仕切り板１３１及び前記第二仕切り板１３２を含む場合、前記第二仕切り板１３２は中空状の円柱であると共に前記台座１２に設置され、前記第一仕切り板１３１及び前記第二仕切り板１３２が結合されることにより前記本体１０内部が前記外側キャビティ１０１及び前記内側キャビティ１０２に仕切られ、且つ前記第一仕切り板１３１の外縁には前記第二仕切り板１３２の外側に対応するように少なくとも１つの流通孔１３１１が設けられ、前記上蓋１１の入／排水孔１１１または前記台座１２の入／排水孔１２１から流入される水が共に前記外側キャビティ１０１中で流通する。
前記第一仕切り板１３１の底部には溝部１３１２が設けられ、前記第二仕切り板１３２の上部周縁１３２１が前記溝部１３１２内に係合される。しかしながら、水流が前記内側キャビティ１０２に進入するのを確実に防止するため、前記第一仕切り板１３１及び前記第二仕切り板１３２の結合箇所には防水ワッシャー１３３が更に設置される。
【００２２】
図３及び図４を示すように、前記制御回路基板２２は複数の導電素子２２１が前記内側キャビティ１０２から前記外側キャビティ１０１まで延伸されて前記電解ユニット２１に電気的に接続され、且つこれら前記導電素子２２１は対になるように設置される正導電素子２２１１及び負導電素子２２１２であり、前記電解ユニット２１は複数の電極板を備える。前記正導電素子２２１１に接続される電極板は陽電極板２１１であり、前記負導電素子２２１２に接続される電極板は陰電極板２１２である。
【００２３】
また、前記上蓋１１には設定ユニット２４が更に設置され、且つ前記設定ユニット２４は前記制御回路基板２２に電気的に接続され、前記電解ユニット２１の作動モードを設定するために用いられる。例えば、前記電解ユニットの電解作業の起動と終了の設定に用いられる。前記外側キャビティ内に噴霧ユニット（図示せず）が設置される場合、前記設定ユニット２４により噴霧の強さが更に設定される。
前記台座１２には充電接続口が更に設けられ、且つ前記充電接続口は前記給電ユニット２３に電気的に接続される。前記給電ユニット２３の電量が不足している場合、充電接続端のカバー２５を開いて充接続線（図示せず）を介して前記充電接続口と外部電源とを接続させ、前記給電ユニット２３の電量を補充させる。
【００２４】
最後に、前記台座１２の出水孔１２１は複数または１つのみであり、複数の出水孔１２１を有する本考案を水中から取り出す場合、前記外側キャビティ１０１中の水分がこれら前記出水孔１２１から流出し、使用者が振る、揺らす、またはひっくり返す等の方式により水分を排出することができる。しかしながら、前記台座１２が１つの出水孔１２１のみを有する本考案を水中から取り出す場合、前記外側キャビティ１０１中の水分を完全に排出するためには、使用者が前記本体を一定の角度傾斜させ、前記外側キャビティ１０１中の水分を唯一の出水孔１２１に向けて流出させればよい。また、前記台座１２が１つの出水孔１２１のみを有する場合、前記入／排水孔１２１は閉塞部材（図示せず）に更に結合され、前記外側キャビティ１０１内部の水分が流出するのを防止させる。使用者は、前記外側キャビティ１０１に十分な水量が充填されている場合、本考案を他の環境中に設置させて使用でき、浴槽等の水が入れられた場所での使用に限定されない。
【００２５】
以上のとおり、本考案は外側キャビティ及び内側キャビティを有する設計の水中型水素発生装置を確実に提供し、且つ内側キャビティには防水が必要な部材が設置され、外側キャビティには水に対して電解反応を発生させて水素及び酸素を生じさせる電解ユニットが設置される。
前記の設計により、水素発生装置の体積が大幅に減少されるのみならず、使用者の好みに合わせて水素発生装置の位置を移動でき、同時に携帯性を兼ね備え、空間の使用効率も高まる。  
【００２６】
本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２７】
１０  本体
１０１  外側キャビティ
１０２  内側キャビティ
１１  上蓋
１１１  入／排水孔
１２  台座
１２１  入／排水孔
１３  バリアユニット
１３１  第一仕切り板
１３１１  流通孔
１３１２  溝部
１３２  第二仕切り板
１３２１  上部周縁
１３３  防水ワッシャー
２１  電解ユニット
２２  制御回路基板
２２１  導電素子
２２１１  正導電素子
２２１２  負導電素子
２３  給電ユニット
２４  設定ユニット
２５  充電接続端のカバー
３０  従来の水素装置
３１  ホスト
３２  接続線
３３  電極箱
【図１】
0003209817.tif 000003
【図２】
0003209817.tif 000004
【図３】
0003209817.tif 000005
【図４】
0003209817.tif 000006
【図５】
0003209817.tif 000007